(57)【要約】【課題】簡単な構造で良好にＸ線を遮蔽することができる真空インタラプタ真空インタラプタを提供する。【解決手段】真空インタラプタ２１の絶縁筒２の両端側の開口部を閉止する固定側端板２３、可動側端板２４と、固定リード６及び可動リード７の先端に取り付けられて接離することにより電流を投入・遮断する固定電極７及び可動電極９の周囲を取り囲むアークシールド３２とをＸ線遮蔽効果の大きい金属、例えば鉛で形成した。【選択図】  図１
2004265800.tif 000002
【特許請求の範囲】
【請求項１】
筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記アークシールドをＸ線遮蔽効果のある金属で形成したことを特徴とする真空インタラプタ。
【請求項２】
筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記アークシールドの内周面にＸ線遮蔽効果のある金属のメッキ層を形成したことを特徴とする真空インタラプタ。
【請求項３】
筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記固定側端板及び可動側端板をＸ線遮蔽効果のある金属で形成したことを特徴とする真空インタラプタ。
【請求項４】
筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記固定側端板及び可動側端板の内側面にＸ線遮蔽効果のある金属のメッキ層を形成したことを特徴とする真空インタラプタ。
【請求項５】
筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記アークシールドをＸ線遮蔽効果のある金属で形成するとともに、前記固定側端板及び可動側端板をＸ線遮蔽効果のある金属で形成したことを特徴とする真空インタラプタ。
【請求項６】
筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記アークシールドの内周面にＸ線遮蔽効果のある金属のメッキ層を形成するとともに、前記固定側端板及び可動側端板の内側面にＸ線遮蔽効果のある金属のメッキ層を形成したことを特徴とする真空インタラプタ。
【請求項７】
請求項１乃至請求項６の何れか一つに記載する真空インタラプタにおいて、
Ｘ線遮蔽効果の金属として鉛を使用したことを特徴とする真空インタラプタ。
【発明の詳細な説明】
【０００１】
【発明の属する技術分野】
本発明は真空インタラプタに関するものであり、特に当該真空インタラプタの開閉時のアークに起因して発生するＸ線を遮蔽する場合に適用して有用なものである。
【０００２】
【従来の技術】
真空インタラプタ１の構成を、図２を参照して説明する。同図に示すように、真空インタラプタ１の絶縁筒（筒材）２は、その一端側（図２では左側）の開口部が固定側端板３で閉止され、その他端側（図２では右側）の開口部が可動側端板４で閉止されている。そして、これら絶縁筒２及び端板３，４及び後述するベローズ１１により真空容器５が形成されている。
【０００３】
固定リード６は、固定側端板３を気密に貫通しつつ固定側端板３により固定支持されている。この固定リード６の先端（真空容器５内に位置する先端）には、固定電極７が取り付けられている。
【０００４】
可動リード８は、遊嵌状態で可動側端板４を貫通しており、その先端（真空容器５内に位置する先端）には、可動電極９が取り付けられている。可動リード８は、図示しない外部操作機器によって軸方向に移動されるようになっており、可動リード８の軸方向移動によって固定電極７と可動電極９とが接離して電流の投入・遮断が行われる。
【０００５】
なお、可動リード８はガイド板１０を貫通しており、このガイド板１０により支持されつつ軸方向移動できるようになっている。また可動リード８とガイド板１０との間にはガスが流通できる程度の隙間が存在している。
【０００６】
絶縁筒２の内部空間には、軸方向に伸縮自在な円筒状のベローズ１１が配置されている。このベローズ１１は、その一端側（図２では左側）が可動リード８に気密に接続されており、その他端側（図２では右側）が可動側端板４に気密に接続されている。
【０００７】
絶縁筒２の内部には、アークシールド１２が配置されている。このアークシールド１２は固定電極７及び可動電極９の周囲を囲っており、当該真空インタラプタの開閉時のアークに起因して発生する金属や金属蒸気が絶縁筒２の内周面に付着するのを防止する。
【０００８】
前述の如く、この種の真空インタラプタでは、前記固定電極７及び可動電極９の接離に伴い固定電極７と可動電極９との間の真空放電空間にアーク放電を発生するが、これにより一方からでた電子が高電圧で加速されて他方の電極に衝突し、電極金属の蒸気とともにＸ線が発生する。このＸ線を遮蔽する技術を開示する公知の特許文献として特開平８−１９０８４２号公報、実開昭５９−１１７０３８号公報及び実開昭６２−１４６４３号公報がある。
【０００９】
【特許文献１】
特開平８−１９０８４２号公報
【００１０】
【特許文献２】
実開昭５９−１１７０３号公報
【００１１】
【特許文献３】
実開昭６２−１４６４３号公報
【００１２】
【発明が解決しようとする課題】
現状の真空インタラプタでは、この真空インタラプタから外部に漏れるＸ線の量は、自然放射線量若しくはその規定値以下であり、当該真空インタラプタの近傍に居る作業員等に対する被爆の心配はない。しかし、今後、より高電界下での真空インタラプタが使用されることも予想される。例えば、短時間の耐電圧試験や、真空放電を利用した電極表面処理過程等では、通常の運転時以上の高電界が印加されるため、条件によっては自然放射線量若しくは規定値を超えるＸ線を発生する虞がある。したがって、真空インタラプタがＸ線遮蔽機能を有することは有効ではあるが、前述の如き従来技術においては次のような問題を有している。
【００１３】
すなわち、特許文献１では、部品点数が多くなり、真空容器を囲む遮蔽容器の構造が複雑になる。特許文献２では、絶縁物に金属をコンパウンドした特殊な材料を使用しており、金属ではないので、同じ厚さでは金属よりも遮蔽能力が劣る。特許文献３では、真空容器の容器外部の表面に金属を配置しているので、絶縁距離が短くなり、絶縁物層を設けているので、工数が増加する。
【００１４】
なお、図２に示す真空インタラプタ１の固定側端板３、可動側端板４及びアークシールド１２は、通常ステンレス乃至銅で形成してある。
【００１５】
本発明は、上記従来技術に鑑み、簡単な構造で良好にＸ線を遮蔽することができる真空インタラプタを提供することを目的とする。
【００１６】
【課題を解決するための手段】
上述の目的を達成する本発明の構成は、次の点を特徴とする。
【００１７】
１）  筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記アークシールドをＸ線遮蔽効果のある金属で形成したこと。
【００１８】
２）  筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記アークシールドの内周面にＸ線遮蔽効果のある金属のメッキ層を形成したこと。
【００１９】
３）  筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記固定側端板及び可動側端板をＸ線遮蔽効果のある金属で形成したこと。
【００２０】
４）  筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記固定側端板及び可動側端板の内側面にＸ線遮蔽効果のある金属のメッキ層を形成したこと。
【００２１】
５）  筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記アークシールドをＸ線遮蔽効果のある金属で形成するとともに、前記固定側端板及び可動側端板をＸ線遮蔽効果のある金属で形成したこと。
【００２２】
６）  筒材の一端側を閉止する固定側端板と、前記筒材の他端側を閉止する可動側端板と、前記固定側端板を気密に貫通する固定リードと、前記可動側端板を遊嵌状態で貫通する可動リードと、前記可動側端板と前記可動リードとの間に介在させるベローズとを有するとともに、前記筒材、前記固定側端板、前記可動側端板及び前記ベローズで真空容器を形成し、さらに前記固定リード及び可動リードの先端にそれぞれ固着した一対の電極を接離させて電流の投入、遮断を行うように構成するとともに、前記真空容器の内部で前記電極の周囲をアークシールドで囲んで構成した真空インタラプタにおいて、
前記アークシールドの内周面にＸ線遮蔽効果のある金属のメッキ層を形成するとともに、前記固定側端板及び可動側端板の内側面にＸ線遮蔽効果のある金属のメッキ層を形成したこと。
【００２３】
７）  上記１）乃至６）の何れか一つに記載する真空インタラプタにおいて、
Ｘ線遮蔽効果の金属として鉛を使用したこと。
【００２４】
【発明の実施の形態】
以下、本発明の実施の形態を図面に基づいて詳細に説明する。
【００２５】
図１は本発明の実施の形態にかかる真空インタラプタ２１を示す。同図に示すように、本形態に係る真空インタラプタ２１は、図２に示す従来技術に係る真空インタラプタ１と基本的な形状及び構造は同一であり、固定側端板２３、可動側端板２４及びアークシールド３２の材質が異なるだけである。
【００２６】
すなわち、真空インタラプタ２１の絶縁筒２は、その一端側（図１では左側）の開口部が固定側端板２３で閉止され、その他端側（図１では右側）の開口部が可動側端板２４で閉止されている。そして、これら絶縁筒２及び端板２３，２４及び後述するベローズ１１により真空容器２５が形成されている。
【００２７】
固定リード６は、固定側端板２３を気密に貫通しつつ固定側端板２３により固定支持されている。この固定リード６の先端（真空容器２５内に位置する先端）には、固定電極７が取り付けられている。また、可動リード８は、遊嵌状態で可動側端板２４を貫通しており、その先端（真空容器２５内に位置する先端）には、可動電極９が取り付けられている。可動リード８は、図示しない外部操作機器によって軸方向に移動されるようになっており、可動リード８の軸方向移動によって固定電極７と可動電極９とが接離して電流の投入・遮断が行われる。
【００２８】
さらに、可動リード８はガイド板１０を貫通しており、このガイド板１０により支持されつつ軸方向移動できるようになっている。また可動リード８とガイド板１０との間にはガスが流通できる程度の隙間が存在している。
【００２９】
絶縁筒２の内部空間には、軸方向に伸縮自在な円筒状のベローズ１１が配置されている。このベローズ１１は、その一端側（図２では左側）が可動リード８に気密に接続されており、その他端側（図２では右側）が可動側端板４に気密に接続されている。
【００３０】
絶縁筒２の内部には、アークシールド３２が配置されている。このアークシールド３２は固定電極７及び可動電極９の周囲を囲っており、当該真空インタラプタの開閉時のアークに起因して発生する金属や金属蒸気が絶縁筒２の内周面に付着するのを防止する。
【００３１】
ここで、本形態における固定側端板２３、可動側端板２４及びアークシールド３２は、Ｘ線遮蔽効果が、従来技術に係る真空インタラプタ１の当該部分の材質であるステンレス乃至銅よりも大きい金属、例えば鉛で形成してある。
【００３２】
この結果、本形態に係る真空インタラプタ２１では、固定電極７と可動電極８との接離の際にアークとともに発生するＸ線を固定側端板２３、可動側端板２４及びアークシールド３２で良好に遮蔽することができる。ここで、アークシールド３２では、特に真空容器２５の軸方向と直角な方向に放射されるＸ線を、また固定側端板２３及び可動側端板２４では、特に真空容器２５の軸方向に放射されるＸ線をそれぞれ遮蔽する。
【００３３】
上記実施の形態では、固定側端板２３、可動側端板２４及びアークリング３２の全てを鉛等のＸ線遮蔽効果の大きい金属材料で形成したが、必ずしも、この構成に限定する必要はない。アークリング３２のみ、又は固定側端板２３及び可動側端板２４のみを前記鉛等で形成するだけでも必要なＸ線遮蔽効果は得られる。
【００３４】
さらに、図２に示す、従来技術に係る真空インタラプタ１の固定側端板３、可動側端板４及び／又はアークリング１２の内周側乃至内周面に鉛等の所定の金属のメッキ層を形成することによっても同様の作用・効果を得る。
【００３５】
【発明の効果】
以上、実施の形態と共に具体的に説明したように本発明によれば、アークシールドのみ、又は固定側端板と可動側端板を、Ｘ線遮蔽効果が大きい金属、例えば鉛で形成したので、固定電極と可動電極との接離の際にアークとともに発生するＸ線をアークシールドのみ、又は固定側端板と可動側端板とで良好に遮蔽することができる。
【００３６】
特にアークシールド、固定側端板及び可動側端板の全てを前記鉛等のＸ線遮蔽効果の大きい金属で形成した場合には、最も良好なＸ線遮蔽効果を発揮させることができる。このとき、アークシールドが、真空容器の軸方向と直角な方向に放射されるＸ線を、また固定側端板及び可動側端板が、真空容器の軸方向に放射されるＸ線をそれぞれ主に遮蔽する。
【００３７】
何れにしても、かかるＸ線遮蔽効果により、将来的な高電界での真空インタラプタの使用等を考慮しても、十分なＸ線遮蔽効果有する真空インタラプタを提供することができる。
【００３８】
上述の効果は、アークシールドの内周面、固定側端板及び可動側端板の内側面に前記鉛等、Ｘ線遮蔽効果の大きい金属のメッキ層を形成した場合でも同様に得ることができる。この場合には、既存の真空インタラプタのアークシールド、固定側端板及び可動側端板にそれぞれ所定のメッキ層を形成するだけで、所望の効果がえられるので、最も低廉なコストで目的を達成することができるという効果も奏する。
【図面の簡単な説明】
【図１】本発明の実施の形態にかかる真空インタラプタを示す構成図である。
【図２】従来の真空インタラプタを示す構成図である。
【符号の説明】
２        絶縁筒
６        固定リード
７        固定電極
８        可動リード
９        可動電極
１１        ベローズ
２１        真空インタラプタ
２３        固定側端板
２４        可動側端板
３２        アークシールド
【図１】
2004265800.tif 000003
【図２】
2004265800.tif 000004